(57)【要約】【課題】利用者を温めたり、冷やしたりするための流体が流通する循環チューブをパッド本体に設けるようにした寝装用パッド装置を提供することにある。【解決手段】パッド本体１６と、柔軟な材料によって形成されパッド本体の厚さ方向の中途部に、パッド本体の長手方向と交差する幅方向に沿って蛇行して設けられた循環チューブ２３と、循環チューブに流体を流通させるとともに、その流体の温度を制御するコントローラ部２９を具備する。【選択図】      図４
2014113195.tif 000002
【特許請求の範囲】
【請求項１】
寝具の上面に設けられる寝装用パッド装置であって、
パッド本体と、
柔軟な材料によって形成され上記パッド本体の厚さ方向の中途部に、このパッド本体の長手方向と交差する幅方向に沿って蛇行して設けられた循環チューブと、
この循環チューブに流体を流通させるとともに、その流体の温度を制御するコントローラ部と
を具備したことを特徴とする寝装用パッド装置。
【請求項２】
上記循環チューブは上記パッド本体の幅方向に対して複数の流路部に分割されていて、上記コントローラ部で温度制御された流体は上記複数の流路部に分割されて供給される構成であることを特徴とする請求項１記載の寝装用パッド装置。
【請求項３】
上記パッド本体の長手方向中央部分に設けられる上記循環チューブの上記長手方向に沿う配置密度は、上記パッド本体の長手方向の他の部分に比べて疎であることを特徴とする請求項１記載の寝装用パッド装置。
【請求項４】
上記パッド本体は折り曲げ可能に形成されていることを特徴とする請求項１乃至請求項３のいずれかに記載の寝装用パッド装置。
【請求項５】
上記パッド本体の長手方向両端部分には、上記循環チューブが配置されていない、循環チューブの非配置部が設けられていることを特徴とする請求項１乃至請求項４のいずれかに記載の寝装用パッド装置。
【請求項６】
ベッド本体と、
上記ベッド本体に固定された固定床部及びこの固定床部に回動可能に連結された複数の可動床部を有して上記ベッド本体に設けられた床板と、
この床板の上記可動床部を起伏駆動する駆動手段と、
上記床板の上面に載置される寝具及びこの寝具の上面に設けられるパッド本体を有する寝装用パッド装置を具備し、
上記寝装用パッド装置は、
折り曲げ可能なパッド本体と、
柔軟な材料によって形成され上記パッド本体の厚さ方向の中途部に、このパッド本体の長手方向と交差する幅方向に沿って蛇行して設けられた循環チューブと、
この循環チューブに流体を流通させるとともに、その流体の温度を制御するコントローラ部と
によって構成されていることを特徴とする起上式ベッド装置。
【発明の詳細な説明】
【技術分野】
【０００１】
この発明はたとえば寝具としてのマットレスの上面に載置して使用される寝装用パッド装置及びその寝装用パッド装置を用いた起上式ベッド装置に関する。
【背景技術】
【０００２】
たとえば、ベッド装置はベッド本体を有し、このベッド本体にはマットレスが載置される。このマットレスの上面には上記寝装用パッド装置としてのベッドパッドが設けられ、このベッドパッドにはシーツが掛けられる。つまり、上記ベッド装置のマットレスはベッドパッドとシーツによってベッドメーキングされた状態で使用されることになる。
【０００３】
利用者は上記マットレス上に仰臥して就寝することになるが、冬季や夏季のように室内温度が低い季節や高い季節には暖房や冷房をして快適に就寝するようにしている。
【０００４】
しかしながら、室内を暖房や冷房して室温を制御するようにしたのでは熱効率が悪く、エネルギーの無駄が大きいので、上記ベッド装置を温めたり、冷却するということが行われている。
【０００５】
従来、上記ベッド装置を温めたり、冷却するには、このベッド装置の床板部分に金属製の放熱パネルを埋設し、この放熱パネルに１本の放熱パイプを蛇行状に装着する。放熱パイプの一端の流入口は内部を流通する液体を温度制御する冷暖房ユニットの供給側に接続され、他端の流出口は上記冷暖房ユニットの戻り側に接続されている。
【０００６】
それによって、上記冷暖房ユニットによって温度制御された液体を上記放熱パイプに循環させることができるから、上記放熱パイプが埋設されたベッド装置を効率よく暖房したり、冷房することができるようにしている。
【先行技術文献】
【特許文献】
【０００７】
【特許文献１】特開平８−２９９１１５号公報
【発明の概要】
【発明が解決しようとする課題】
【０００８】
上述したように、ベッド装置の床板部分に金属製の放熱パネルを埋設すれば、室内を暖房や冷房する場合に比べて利用者を効率よく温めたり、冷やしたりすること可能となる。しかしながら、ベッド装置に金属製の放熱パネルを埋設する構成であると、上記放熱パネルを既存のベッド装置に使用することができなかったり、使用する場合にはベッド装置や放熱パネルを大幅に改造することが必要となるため、極めて不経済である。
【０００９】
しかも、ベッド装置の床板部分に埋設された放熱パネルに流れる流体の熱は、上記放熱パネルから上記床板部分に載置されるマットレスやベッドパッドを介して利用者に伝わることになる。  
そのため、上記放熱パネルの熱が利用者に効率よく伝わり難いため、熱効率を十分に向上させることができないということもある。
【００１０】
さらに、最近では病人や身体の不自由な利用者には、床板を複数の床部に分割し、これら床部を起伏させることができるようにした、いわゆる起上式ベッド装置が利用される。
【００１１】
しかしながら、従来は上述したようにベッド装置の床板部分に金属製の放熱パネルを埋設する構成であるから、床板を複数の床部に分割して構成された起上式ベッド装置には適用することができないということもあった。
【００１２】
この発明は、既存のベッド装置を改造することなく使用することができ、しかも利用者を効率よく暖房や冷房することができ、さらに起上式ベッド装置にも適用することができるようにした寝装用パッド装置及びその寝装用パッド装置を用いた起上式ベッド装置を提供することにある。
【課題を解決するための手段】
【００１３】
この発明は、寝具の上面に設けられる寝装用パッド装置であって、
パッド本体と、
柔軟な材料によって形成され上記パッド本体の厚さ方向の中途部に、このパッド本体の長手方向と交差する幅方向に沿って蛇行して設けられた循環チューブと、
この循環チューブに流体を流通させるとともに、その流体の温度を制御するコントローラ部と
を具備したことを特徴とする寝装用パッド装置にある。
【００１４】
上記循環チューブは上記パッド本体の幅方向に対して複数の流路部に分割されていて、上記コントローラ部で温度制御された流体は上記複数の流路部に分割されて供給される構成であることが好ましい。
【００１５】
上記パッド本体は折り曲げ可能に形成されていることが好ましい。
【００１６】
上記パッド本体の長手方向中央部分に設けられる上記循環チューブの上記長手方向に沿う配置密度は、上記パッド本体の長手方向の他の部分に比べて疎であることが好ましい。
【００１７】
上記パッド本体の長手方向両端部分には、上記循環チューブが配置されていない、循環チューブの非配置部が設けられていることが好ましい。
【００１８】
この発明は、ベッド本体と、
上記ベッド本体に固定された固定床部及びこの固定床部に回動可能に連結された複数の可動床部を有して上記ベッド本体に設けられた床板と、
この床板の上記可動床部を起伏駆動する駆動手段と、
上記床板の上面に載置される寝具及びこの寝具の上面に設けられるパッド本体を有する寝装用パッド装置を具備し、
上記寝装用パッド装置は、
折り曲げ可能なパッド本体と、
柔軟な材料によって形成され上記パッド本体の厚さ方向の中途部に、このパッド本体の長手方向と交差する幅方向に沿って蛇行して設けられた循環チューブと、
この循環チューブに流体を流通させるとともに、その流体の温度を制御するコントローラ部と
によって構成されていることを特徴とする起上式ベッド装置にある。
【発明の効果】
【００１９】
この発明によれば、折り曲げ可能なパッド本体の厚さ方向の中途部に、このパッド本体の長手方向と交差する幅方向に沿って温度制御された流体が流通する循環チューブを蛇行させて設けた。
【００２０】
そのため、上記パッド本体の上面に仰臥する利用者を効率よく暖房したり、冷房することができ、しかも既存のベッド装置を使用することができるから、経済的である。  
しかも、起上式ベッド装置の床板上に載置して使用する場合、上記床板を起上させることで、上記パッド本体が折り曲げられても、パッド本体の幅方向に沿って設けられた循環チューブが押し潰されことがほとんどない。
【００２１】
そのため、上記床板を起上させたときに温度制御された流体が上記循環チューブ内に流れ難くなって暖房或いは冷房効果が低下するのを防止することができる。
【図面の簡単な説明】
【００２２】
【図１】この発明の一実施の形態を示すベッド装置の正面図。
【図２】上記ベッド装置に用いられる寝装用パッド装置の平面図。
【図３】上記寝装用パッド装置の内部に設けられた循環チューブの配置状態を示す図。
【図４】上記寝装用パッド装置の流体の経路を示す説明図。
【図５】上記寝装用パッド装置のパッド本体の正面図。
【発明を実施するための形態】
【００２３】
以下、この発明の一実施の形態を図面を参照しながら説明する。  
図１は起上式ベッド装置Ｂを示す側面図であって、この起上式ベッド装置Ｂはベッド本体１を備えている。このベッド本体１は四隅部に脚２が設けられたベースフレーム３と、このベースフレーム３に上下駆動機構を構成するリンク４によって上下動可能に連結されたベッドフレーム５とによって構成されている。
【００２４】
上記ベッドフレーム５には床板６が設けられている。この床板６はベッドフレーム５の長手方向中央部に固定して設けられた固定床部６ａを有する。この固定床部６ａの一側には可動床部を構成する腰床部６ｂと背床部６ｃとが順次回動可能に連結されている。
【００２５】
上記固定床部６ａの他側には同じく可動床部を構成する第１の脚床部６ｄと第２の脚床部６ｅとが順次回動可能に連結されている。つまり、床板６は５つの床部に分割され、これら床部が互いに回動可能に連結されている。上記ベッドフレーム５の長手方向一端にはヘッドボード７、他端にはフットボード８が設けられている。
【００２６】
上記床板６上には寝具としてのマットレスＭが載置される。このマットレスＭの上面には後述する構成の寝装用パッド装置１５を構成するパッド本体１６が載置される。
【００２７】
上記ベースフレーム３には第１の駆動源１１が設けられている。この第１の駆動源１１が作動すると、上記リンク４が回動駆動されて下降位置にある上記ベッドフレーム５を上昇方向に駆動させたり、上昇位置から下降位置に駆動させることができるようになっている。
【００２８】
さらに、上記ベースフレーム３には駆動手段を構成する第２の駆動源１２が設けられている。この第２の駆動源１２が作動すると、同図に鎖線で示すように上記腰床部６ｂと背床部６ｃが起上し、上記第１の脚床部６ｄと第２の脚床部６ｅが山形状に屈曲するようになっている。
【００２９】
上記床板６が起上すると、この床板６上に載置された上記マットレスＭと寝装用パッド装置１５が床板６の各床部の上昇や屈曲に応じて変形するようになっている。つまり、上記マットレスＭと寝装用パッド装置１５は折り曲げ可能な構造となっている。
【００３０】
図２に示すように、上記寝装用パッド装置１５はパッド本体１６を有し、このパッド本体１６は図１と図５に示すように長手方向の一端部と他端部にループ状に設けられた一対のバンド１６ａを上記マットレスＭの下面側に係合させて設けられている。ベッドメーキングに際し、上記パッド本体１６と上記マットレスＭは図示しないシーツによって覆われる。
【００３１】
なお、寝具としてマットレスＭを挙げ、このマットレスＭの上面に寝装用パッド装置１５のパッド本体１６を設けるようにしたが、寝具としては布団であってもよい。
【００３２】
図２に示すように、上記パッド本体１６は上記マットレスＭの平面形状とほぼ同じ大きさの矩形状に形成されている。図５に示すように、上記パッド本体１６はポリエステル綿などの断熱性が比較的高い材料によって形成された下層１７と、立体メッシュ織物などの通気性の高い材料によって形成された上層１８とが重合されている。
【００３３】
上記下層１７と上層１８との周縁部はフランジ布２１によって一体的に縫合され、周縁部以外の部分は、図２に示すように幅方向に沿うとともに、長手方向に対して所定間隔で離間した複数のキルティング部２２によって縫合されている。
【００３４】
上記下層１７の断熱性は上記上層１８よりも高く、しかもこの上層１８よりも低い通気性を備えている。つまり、下層１７は断熱性と通気性の両方を備えた素材を用いて形成されている。
【００３５】
上記立体メッシュ織物は、詳細は図示しないが、上面メッシュ地と下面メッシュ地とを連結糸によって適当な間隔で連結した立体構造をなしていて、厚さ方向及び厚さ方向と交差する方向に通気性を備えている。
【００３６】
なお、上記立体メッシュ織物はポリエステル、ポリアミド、アクリルなどの合成繊維、ウールや絹などの天然繊維、ガラス繊維、炭素繊維、金属繊維などの編成可能な繊維によって形成されている。
【００３７】
さらに、上記上層１８としては、立体メッシュ織物の他に、たとえば糸状のポリエチレンなどの樹脂を３次元的に絡み合わせることで、通気性を呈する空気層を有するよう形成された立体状の繊維層などであってもよい。
【００３８】
上記構成の下層１７と上層１８とによって構成されたパッド本体１６は、上記床板６の起上に応じて上記マットレスＭとともに折り曲げ可能となっている。
【００３９】
上記パッド本体１６の下層１７と上層１８との間には、たとえばフッ素ゴムなどの柔軟な材料によって形成された循環チューブ２３が蛇行状に設けられている。図２と図３に示すように上記循環チューブ２３は、上記パッド本体１６の長手方向の中央部分に、幅方向に２回蛇行して設けられた第１の流路部２３ａと、上記パッド本体１６の上記第１の流路部２３ａの長手方向の両側にそれぞれ幅方向にＵ字状に１回だけ蛇行して設けられた一対の第２の流路部２３ｂと、上記パッド本体１６の上記第２の流路部２３ｂの長手方向の両側にそれぞれ幅方向にＵ字状に２回蛇行して設けられた一対の第３の流路部２３ｃとの、合計で５つの部分に分割されている。
【００４０】
図３を参照しながら詳細に説明すると、上記パッド本体１６の長手方向中央部の第１の流路部２３ａの２つの蛇行部分と、この第１の流路部２３ａの両側に位置する一対の第２の流路部２３ｂの１つの蛇行部分とがなす間隔ｇ１、ｇ２は、上記一対の第２の流路部２３ｂの１つの蛇行部分と、上記一対の第３の流路部２３ｃの２つの蛇行部分とがなす間隔ｇ３よりも大きくなるよう設定されている。つまり、第１、第２の流路部２３ａ，２３ｂの合計で４つの蛇行部分の間隔は、第２、第３の流路部２３ｂ，２３ｃの左右３つずつの蛇行部分の間隔に比べて疎となるよう配置されている。
【００４１】
さらに、上記パッド本体１６の長手方向の両端部には、上記第３の流路部２３ｃが設けられていない部分、つまり上記循環チューブ２３の非配置部２０が形成されている。
【００４２】
上記第１乃至第３の流路部２３ａ〜２３ｃを形成するそれぞれの上記循環チューブ２３の一端と他端は、上記パッド本体１６の幅方向一側の長手方向中央部に位置している。上記パッド本体１６の幅方向一端側の長手方向中央部には本体チューブ２４が一端部を上記パッド本体１６の内部に突出させて設けられている。
【００４３】
図４に示すように、上記本体チューブ２４の内部には第１の供給管路２５ａと第１の戻り管路２５ｂが全長にわたって設けられている。上記第１の供給管路２５ａの一端部には上記第１乃至第３の流路部２３ａ〜２３ｃを形成する上記循環チューブ２３の一端が上記本体チューブ２４の一端部に設けられた接続口体２６を介して接続されている。上記第１の戻り管路２５ｂの一端部には上記第１乃至第３の流路部２３ａ〜２３ｃの他端が上記接続口体２６を介して接続されている。
【００４４】
上記本体チューブ２４の他端には、内部に第２の供給管路２８ａと第２の戻り管路２８ｂを有する接続チューブ２８の一端が着脱可能に接続されている。この接続チューブ２８の他端はコントローラ部２９に着脱可能に接続される。つまり、パッド本体１６に対して上記コントローラ部２９は上記接続チューブ２８によって着脱可能に接続されている。
【００４５】
図４に示すように、上記コントローラ部２９にはたとえばペルチェ素子などによって形成された温度調節部３１が設けられている。この温度調節部３１にはポンプ３２を介してタンク３３が接続されている。このタンク３３に収容された流体、たとえば液体は上記ポンプ３２によって上記温度調節部３１に供給される。
【００４６】
そして、上記温度調節部３１に供給された流体は図示しない設定部によって設定された温度に基づいて加熱或いは冷却されるようになっている。なお、上記ポンプ３２は図示しない制御部によって運転が制御されるようになっている。
【００４７】
上記温度調節部３１で温度制御された流体は、この温度調節部３１から上記接続チューブ２８の第２の供給管路２８ａ及び上記本体チューブ２４の第１の供給管路２５ａを通じて上記パッド本体１６の循環チューブ２３の第１乃至第３の流路部２３ａ〜２３ｃに分割されて供給される。
【００４８】
第１乃至第３の流路部２３ａ〜２３ｃに供給された流体は、温度制御された温度に応じてパッド本体１６の内部で上記循環チューブ２３を介して放熱或いは吸熱しながら循環し、上記本体チューブ２４の第１の戻り管路２５ｂ、上記接続チューブ２８の第２の戻り管路２８ｂ及び上記タンク３３を通じて上記温度調節部３１に戻るようになっている。
【００４９】
上記構成の寝装用パッド装置１５によれば、寝装用パッド装置１５のパッド本体１６にコントローラ部２９によって温度制御された流体がポンプ３２によって循環させられる循環チューブ２３を設けるようにした。
【００５０】
そのため、従来から用いられているベッド本体、マットレス及びパッドのうち、パッドだけを新たなパッド本体１６に交換するだけでよいから、既存のベッド本体やマットレスを改造する場合に比べて経済的である。つまり、パッド本体１６とコントローラ部２９からなる寝装用パッド装置１５はそのパッド本体１６をマットレスＭに載置するだけでよいから、既存のベッド本体１に容易に用いることができる。
【００５１】
上記パッド本体１６には、コントローラ部２９によって温度制御された流体が供給される循環チューブ２３を、上記パッド本体１６の厚さ方向中途部に設けるようにした。つまり、上記パッド本体１６を構成する下層１７と上層１８の間に設けるようにした。
【００５２】
上記下層１７は断熱性が比較的高い材料によって形成され、上記上層１８は通気性の高い材料によって形成されている。そのため、上記循環チューブ２３を流れる流体の熱は、上記パッド本体１６の下面側には逃げ難く、上面側に放散され易いため、上記循環チューブ２３からの熱を上記パッド本体１６上に仰臥した利用者に対して効率よく作用させることができる。つまり、上記循環チューブ２３を流れる流体の熱によって利用者を効率よく温めたり、冷やすことができる。
【００５３】
上記パッド本体１６の下層１７と上層１８の間に設けられる上記循環チューブ２３を、第１乃至第３の流路部２３ａ〜２３ｃに分割し、上記コントローラ部２９の温度調節部３１で温度制御された流体を、接続チューブ２８と本体チューブ２４の第２、第１の供給管路２８ａ，２５ａを通じて供給するようにした。
【００５４】
すなわち、上記コントローラ部２９で温度制御された流体は、第１乃至第３の流路部２３ａ〜２３ｃに分割されて同時に供給されることになる。そのため、第１乃至第３の流路部２３ａ〜２３ｃにはほぼ同じ温度で流体が循環することになるから、パッド本体１６の第１乃至第３の流路部２３ａ〜２３ｃが設けられた部分である、パッド本体１６の全体をほぼ均一な温度にすることができる。
【００５５】
つまり、パッド本体１６に設けられる循環チューブ２３を第１乃至第３の流路部２３ａ〜２３ｃに分割せずに１本とし、その一端から温度制御された流体を流入させて他端から流出させるようにした場合、流路長が長くなるから、上記循環チューブ２３の流入側と流出側とで流体に生じる温度差が大きくなる。
【００５６】
しかしながら、この実施の形態に示すように循環チューブ２３を第１乃至第３の流路部２３ａ〜２３ｃに分割すれば、第１乃至第３の流路部２３ａ〜２３ｃにほぼ同じ温度の流体を流すことができるから、上述したようにパッド本体１６の全面をほぼ均一な温度になるよう制御することが可能となる。
【００５７】
しかも、上記第１乃至第３の流路部２３ａ〜２３ｃをパッド本体１６の幅方向に沿って蛇行させているから、長手方向に蛇行させる場合に比べて上記第１乃至第３の流路部２３ａ〜２３ｃの流路長を短くできる。
【００５８】
そのため、上記第１乃至第３の流路部２３ａ〜２３ｃの流入側と流出側との流体の温度差を少なくできるから、そのことによってもパッド本体１６の全面をほぼ均一な温度になるよう制御することができる。
【００５９】
上記パッド本体１６は起上式ベッド装置Ｂの床板６上にマットレスＭを介して載置して使用されることがある。その場合、上記床板６の固定床部６ａを除く各床部６ｂ〜６ｅを起上させると、上記パッド本体１６は各床部６ｂ〜６ｅの起上に応じて折り曲げられる。
【００６０】
上記パッド本体１６には上記第１乃至第３の流路部２３ａ〜２３ｃが上記パッド本体１６の幅方向に沿って蛇行して設けられている。
【００６１】
そのため、上記パッド本体１６が各床部６ｂ〜６ｅの起上に応じて長手方向に折り曲げられても、上記パッド本体１６に設けられた上記第１乃至第３の流路部２３ａ〜２３ｃを形成する循環チューブ２３が屈曲されことがほとんどない。
【００６２】
したがって、各床部６ｂ〜６ｅを起上させても、上記第１乃至第３の流路部２３ａ〜２３ｃを流れる流体の流れが悪くなるということがないから、上記第１乃至第３の流路部２３ａ〜２３ｃを流れる流体による暖房或いは冷房作用が低下するのを防止することができる。
【００６３】
上記パッド本体１６の長手方向における上記第１乃至第３の流路部２３ａ〜２３ｃの循環チューブ２３の配置密度は、上記パッド本体１６の長手方向中央部が両端部部分に比べて疎となっている。
【００６４】
上記パッド本体１６に利用者が仰臥した場合、利用者の身体の最も重たい臀部は上記循環チューブ２３の配置密度が疎となっている、上記パッド本体１６の長手方向中央部に位置することになる。
【００６５】
そのため、利用者の臀部が上記パッド本体１６を強く押圧しても、利用者の臀部に上記循環チューブ２３を流れる流体の熱が強く伝わり過ぎるのを抑制できるから、臀部が身体の他の部分に比べて暖められ過ぎたり、冷え過ぎるのを防止することができる。
【００６６】
上記パッド本体１６の長手方向の両端部分には、上記循環チューブ２３が設けられていない非配置部２０が形成されている。そのため、利用者の身体の臀部についで重い頭部や、上記パッド本体１６を局部的に強く圧迫する足の踵の部分にも上記循環チューブ２３を流れる流体の熱が強く伝わり過ぎるのを抑制できるから、臀部と同様、頭部や踵の部分が身体の他の部分に比べて暖められ過ぎたり、冷え過ぎるのを防止することができる。
【００６７】
なお、上記一実施の形態では循環チューブ２３をパッド本体１６の厚さ方向中途部に設けるために、パッド本体１６を断熱性の高い材料からなる下層１７と、通気性の高い材料からなる上層１８とに分割したが、パッド本体１６を下層１７と上層１８とに分割せずに綿などによって所定の厚さに形成するとともに、その厚さ方向の中途部に上記循環チューブ２３を設けるようにしてもよい。
【００６８】
また、パッド本体１６をシート状の薄手で、可撓性を有する材料で形成すれば、そのパッド本体１６によって形成された寝装用パッド装置を折り曲げて、たとえばソファーの座面と背面にかけて使用することもでき、さらにマットレスＭの上面を形成する上鏡地として用いることもできる。
【００６９】
マットレスＭがダブルサイズやキングサイズの場合、左右に２つのパッド本体１６を並設して使用することもできる。その場合、左右一対のパッド本体１６に設けられた循環チューブ２３を流れる流体の温度を異なる温度に調節することができる。
【００７０】
さらに、パッド本体１６をマットレスＭの長さの約半分の寸法にし、マットレスＭの上下方向に２つのパッド本体１６を設け、上下２つのパッド本体１６に設けられた循環チューブ２３を流れる流体の温度を異なる温度に調節するようにしてもよい。
【００７１】
また、循環チューブ２３を５つの循環路に分割した例を挙げて説明したが、循環チューブ１３は２つ以上の循環路に分割すれば、分割しない場合に比べて上述したようにパッド本体１６を全体的に均一に温度制御することが可能となる。
【００７２】
上記パッド本体１６を折り曲げ可能な構成としたが、パッド本体１６は折り曲げることができなくとも、伝熱導性を有する材料によって形成されていればよい。
【符号の説明】
【００７３】
１…ベッド本体、１５…寝装用パッド装置、１６…パッド本体、１７…下層、１８…上層、２３…循環チューブ、２３ａ〜２３ｃ…第１乃至第３の流路部、２８…接続チューブ、２９…コントローラ部、３２…ポンプ、３３…タンク。
【図１】
2014113195.tif 000003
【図２】
2014113195.tif 000004
【図３】
2014113195.tif 000005
【図４】
2014113195.tif 000006
【図５】
2014113195.tif 000007